(57)【要約】【課題】本発明は、優れた放熱効果を有するランプ及びそのハウジングを提供することを目的とする。【解決手段】本発明のランプは、第一端面、前記第一端面に対向する第二端面、前記第一端面及び前記第二端面を接続する接続面を有するハウジングと、前記ハウジングの第一端面に位置し、且つ前記ハウジングに熱伝導可能に接続する光源と、前記ハウジングの第二端面に接続され、且つ前記光源に電気的に接続する電気接続部と、を備え、前記ハウジングには、周囲が閉鎖された貫通孔である放熱通路が設けられ、前記放熱通路は、前記第一端面から前記第二端面に向かう方向に沿って延在して、空気の対流及び循環を促進する。【選択図】図１
2013149363.tif 000002
【特許請求の範囲】
【請求項１】
第一端面、前記第一端面に対向する第二端面、前記第一端面及び前記第二端面を接続する接続面を有するハウジングであって、
前記ハウジングには、周囲が閉鎖された貫通孔である放熱通路が設けられ、前記放熱通路は、前記第一端面から前記第二端面に向かう方向に沿って延在して、空気の対流及び循環を促進することを特徴とするランプのハウジング。
【請求項２】
前記放熱通路は、前記第一端面及び前記第二端面を貫通することを特徴とする請求項１に記載のランプのハウジング。
【請求項３】
前記放熱通路の一端の開口は、前記第一端面又は前記第二端面に設けられ、前記放熱通路の他端の開口は、前記接続面に設けられることを特徴とする請求項１に記載のランプのハウジング。
【請求項４】
前記ハウジングは、異なる直径を有する２つの円柱部を備え、前記放熱通路は、大きい直径を有する前記円柱部の両端を貫通することを特徴とする請求項１に記載のランプのハウジング。
【請求項５】
第一端面、前記第一端面に対向する第二端面、前記第一端面及び前記第二端面を接続する接続面を有するハウジングと、
前記ハウジングの第一端面に位置し、且つ前記ハウジングに熱伝導可能に接続する光源と、
前記ハウジングの第二端面に接続され、且つ前記光源に電気的に接続する電気接続部と、
を備えてなるランプであって、
前記ハウジングには、周囲が閉鎖された貫通孔である放熱通路が設けられ、前記放熱通路は、前記第一端面から前記第二端面に向かう方向に沿って延在して、空気の対流及び循環を促進することを特徴とするランプ。
【発明の詳細な説明】
【技術分野】
【０００１】
本発明は、ランプ及びそのハウジングに関するものである。
【背景技術】
【０００２】
通常、ランプのハウジングは、金属からなり、例えば、銅、アルミニウム又はその合金などの高い熱伝導率を有する材料からなる。金属ハウジングは、鋳造によって製造され、優れた放熱効果を達成するために、凹凸表面を有する複数の放熱フィンを設けて、ハウジングの表面積を増大する。
【発明の概要】
【発明が解決しようとする課題】
【０００３】
しかしながら、空気は放熱フィンを一回流れると、再び循環せず、放熱効果が理想的ではない。
【０００４】
本発明の目的は、前記課題を解決し、優れた放熱効果を有するランプ及びそのハウジングを提供することである。
【課題を解決するための手段】
【０００５】
本発明に係るランプのハウジングは、第一端面、前記第一端面に対向する第二端面、前記第一端面及び前記第二端面を接続する接続面を有し、且つハウジングには、周囲が閉鎖された貫通孔である放熱通路が設けられ、前記放熱通路は、前記第一端面から前記第二端面に向かう方向に沿って延在して、空気の対流及び循環を促進する。
【０００６】
本発明に係るランプは、第一端面、前記第一端面に対向する第二端面、前記第一端面及び前記第二端面を接続する接続面を有するハウジングと、前記ハウジングの第一端面に位置し、且つ前記ハウジングに熱伝導可能に接続する光源と、前記ハウジングの第二端面に接続され、且つ前記光源に電気的に接続する電気接続部と、を備え、前記ハウジングには、周囲が閉鎖された貫通孔である放熱通路が設けられ、前記放熱通路は、前記第一端面から前記第二端面に向かう方向に沿って延在して、空気の対流及び循環を促進する。
【発明の効果】
【０００７】
本発明のランプのハウジングには、放熱通路が形成されているので、煙突効果によって対流を促進することができ、空気の流動を効果的に利用して、優れた放熱効果を達成する。
【図面の簡単な説明】
【０００８】
【図１】本発明の第一実施形態に係るランプの断面図である。
【図２】本発明の第一実施形態に係るランプのハウジングの斜視図である。
【図３】本発明の第二実施形態に係るランプの断面図である。
【図４】本発明の第二実施形態に係るランプのハウジングの斜視図である。
【図５】本発明の第三実施形態に係るランプの断面図である。
【発明を実施するための形態】
【０００９】
図１を参照すると、本発明の第一実施形態に係るランプ１０は、ハウジング１１と、光源１２と、駆動回路１３と、電気接続部１４と、ランプカバー１５と、を備える。
【００１０】
前記ハウジング１１は、アルミマグネシウム合金材料からなるので、ランプ全体の重量を減少することができ、且つアルミマグネシウム合金の耐腐食性が強いので、環境の湿度変化による酸化などの欠点を克服することができ、アルミマグネシウム合金は高熱伝導率を有するので、前記光源１２からの熱を放出することができる。図２に示されたように、前記ハウジング１１は、略円柱状であり、前記電気接続部１４から離れている第一端面１１１と、前記電気接続部１４に近い第二端面１１２と、前記第一端面１１１及び前記第二端面１１２を接続する円周面１１３と、を備える。前記第一端面１１１の面積は、前記第二端面１１２の面積より大きい。
【００１１】
前記ハウジング１１の第一端面１１１には、凹部１１１ａが形成される。前記ハウジング１１の内部には、収容部１１２ａが形成されており、前記収容部１１２ａは、前記第二端面１１２に開口を有する。前記凹部１１１ａ及び前記収容部１１２ａは、前記凹部１１１ａの底壁に設けられた少なくとも１つの貫通孔１１２ｂによって連通される。前記凹部１１１ａ及び前記収容部１１２ａの周囲には、周方向に間隔をあけて複数の放熱通路１１４が設けられ、前記放熱通路１１４は、周囲が閉鎖された直線状又は曲線状の貫通孔であり、且つ前記第一端面１１１から前記第二端面１１２に向かう方向に沿って延在し、前記第一端面１１１及び前記第二端面１１２に直交することや、前記第一端面１１１及び前記第二端面１１２と所定の角度をなすことができる。本実施形態において、前記放熱通路１１４は、前記円周面１１３に平行な方向に沿って延在する直線状の貫通孔であり、前記第一端面１１１及び前記第二端面１１２を貫通して、煙突効果を発揮して対流を促進する。前記放熱通路１１４は、前記ハウジング１１の一部分だけを貫通する、即ち前記放熱通路１１４の一端の開口は、前記第一端面１１１又は前記第二端面１１２に設けられ、前記放熱通路１１４の他端の開口は、前記円周面１１３に設けられることができる。本実施形態において、前記円周面１１３には、前記ハウジング１１の軸方向に沿って延在する複数の放熱フィン１１３ａが周方向に間隔をあけて形成されているが、他の実施形態において、前記円周面１１３は、放熱フィン１１３ａが形成されずに平滑な表面であることができる。
【００１２】
前記光源１２は、前記ハウジング１１の凹部１１１ａ内に位置し、前記ハウジング１１に熱伝導可能に接続される。前記光源１２は、前記ハウジング１１の第一端面１１１に設置されることもできる。前記光源１２は、銀ペーストのような導電性接着剤によって前記ハウジング１１に接着されるか、又は前記光源１２と前記ハウジング１１との接続箇所を半田付けして両者を溶接することもでき、又は共晶接合によって前記光源１２を前記ハウジング１１に結合する。共晶接合を利用する場合、Ａｕ、Ｓｎ、Ｉｎ、Ａｌ、Ａｇ、Ｂｉ、Ｂｅなどの金属又はその合金を使用する。本実施形態において、前記光源１２は、少なくとも１つの発光ダイオードである。
【００１３】
前記駆動回路１３は、前記ハウジング１１の収容部１１２ａに収容され、前記貫通孔１１２ｂを貫通する導線によって、前記光源１２に電気的に接続する。
【００１４】
前記電気接続部１４は、前記ハウジング１１の第二端面１１２に固定されており、前記駆動回路１３に電気的に接続される。前記電気接続部１４は、Ｅ１２、Ｅ１４、Ｅ２６、Ｅ２７、ＧＵ１０、ＰＡＲ３０、ＭＲ１６などのようなランプの作動に必要とされる電気エネルギーを供給するために用いられる口金である。
【００１５】
前記ランプカバー１５は、前記ハウジング１１の第一端面１１１に取り付けられて、前記凹部１１１ａ内に収容された前記光源１２を覆う。前記ランプカバー１５は、異なる形状及び異なる色を有することができ、従って異なる形状の光及び異なる色の光線を生じることができ、多種の異なる照射効果を実現することができる。
【００１６】
図３を参照すると、本発明の第二実施形態に係るランプ２０の構造は、前記第一実施形態に係るランプ１０の構造と類似するが、本実施形態に係るランプ２０のハウジング２１は、電気接続部２４から離れている第一円柱部２１ａ及び電気接続部２４に近い第二円柱部２１ｂを備え、前記第一円柱部２１ａの直径は、前記第二円柱部２１ｂの直径より大きい。図４に示されたように、前記第一円柱部２１ａには、前記第一円柱部２１ａの両端を貫通する複数の放熱通路２１４が設けられている。円周面２１３には、複数の放熱フィンが形成される。
【００１７】
図５を参照すると、本発明の第三実施形態に係るランプ３０の構造は、前記第一実施形態に係るランプ１０の構造と類似するが、本実施形態に係るランプ３０のハウジング３１の材料はセラミックを使用し、Ｓｉ３Ｎ４、ＳｉＣ、ＺｒＯ２、Ｂ４Ｃ、ＴｉＢ２、ＡｌｘＯｙ、ＡｌＮ、ＢｅＯ、Ｓｉａｌｏｎのうちのいずれか一種を含むか、又はそれらのうちのいずれか二種又は多種の混合物を含むことができる。前記ランプ３０のハウジング３１には、光源３２を収容するために用いられる凹部３１１ａが設けられる。前記ランプ３０は、交流で操作可能であり、２つの導線が貫通孔３１２ｂを貫通して、前記光源３２及び電気接続部３４を直接に電気的に接続させる。前記ランプ３０の構造は簡素であり、小型且つ軽量である。
【００１８】
本発明のランプのハウジングには、放熱通路が形成されているので、煙突効果によって対流を促進することができ、空気の流動を効果的に利用して、優れた放熱効果を達成する。
【００１９】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲によって規定される。
【符号の説明】
【００２０】
１０，２０，３０  ランプ
１１，２１，３１  ハウジング
１２，３２  光源
１３  駆動回路
１４，２４，３４  電気接続部
１５  ランプカバー
２１ａ  第一円柱部
２１ｂ  第二円柱部
１１１  第一端面
１１１ａ，３１１ａ  凹部
１１２  第二端面
１１２ａ  収容部
１１２ｂ，３１２ｂ  貫通孔
１１３，２１３  接続面（円周面）
１１３ａ  放熱フィン
１１４，２１４  放熱通路
【図１】
2013149363.tif 000003
【図２】
2013149363.tif 000004
【図３】
2013149363.tif 000005
【図４】
2013149363.tif 000006
【図５】
2013149363.tif 000007